(57)【特許請求の範囲】
【請求項１】
被照射体を収容するための空間を有するチャンバーと、
前記チャンバーの内面に設けられている複数の発光ダイオードと、
前記複数の発光ダイオードの点灯を制御するための制御装置と、
を含み、前記複数の発光ダイオードが、
２８０ｎｍ〜３１０ｎｍの間にピークを有する複数の第１発光ダイオードと、
３１０ｎｍ〜４０５ｎｍの間にピークを有する複数の第２発光ダイオードと、
を含み、
前記制御装置が、前記第２発光ダイオードを点灯させる前に前記第１発光ダイオードを点灯させる点灯制御部を有し、
前記複数の第１発光ダイオードがさらに、異なるピーク波長を有する異なる種類の第１発光ダイオードを含んでおり、
前記制御装置が、前記異なる種類の第１発光ダイオードから１種類以上の第１発光ダイオードを選択する選択手段を有し、前記選択手段により選択された第１発光ダイオードを前記点灯制御部により点灯させる日焼け用ＵＶ光照射装置。
【請求項２】
前記点灯制御部が、前記複数の第１発光ダイオードの点灯時間と前記複数の第２発光ダイオードの点灯時間とを調整する請求項１に記載の日焼け用ＵＶ光照射装置。
【請求項３】
前記点灯制御部が、前記複数の第１発光ダイオードと前記複数の第２発光ダイオードとを交互に点灯する請求項１または２に記載の日焼け用ＵＶ光照射装置。
【請求項４】
前記点灯制御部が、前記複数の第１発光ダイオードが点灯を停止する前に前記複数の第２発光ダイオードを点灯させる請求項１〜３のいずれか１項に記載の日焼け用ＵＶ光照射装置。
【請求項５】
前記制御装置が、前記複数の第１発光ダイオードの発光強度と前記複数の第２発光ダイオードの発光強度とを制御する発光強度制御部を有する、請求項１〜４のいずれか１項に記載の日焼け用ＵＶ光照射装置。
【請求項６】
前記異なる種類の第１発光ダイオードが、
２８０〜２９０ｎｍの間にピークを有する複数の第１Ａ発光ダイオードと、
２９０〜３００ｎｍの間にピークを有する複数の第１Ｂ発光ダイオードと、
３００〜３１０ｎｍの間にピークを有する複数の第１Ｃ発光ダイオードと、を含む、請求項１〜５のいずれか１項に記載の日焼け用ＵＶ光照射装置。
【請求項７】
前記複数の第２発光ダイオードが、異なるピーク波長を有する異なる種類の第２発光ダイオードを含んでおり、前記制御装置が、前記異なる種類の第２発光ダイオードから１種類以上の第２発光ダイオードを選択する選択手段を有し、前記選択手段により選択された第２発光ダイオードを前記点灯制御部により点灯させる、請求項１〜６のいずれか１項に記載の日焼け用ＵＶ光照射装置。
【請求項８】
前記複数の第１発光ダイオードおよび前記複数の第２発光ダイオードと、被照射体との間に、２８０ｎｍ未満の波長のＵＶ光を除外するフィルタを有する、請求項１〜７のいずれか１項に記載の日焼け用ＵＶ光照射装置。
【請求項９】
前記制御装置が、前記複数の第１発光ダイオードまたは前記複数の第２発光ダイオードによる被照射体の照射量が予めに設定した値を超えると、前記複数の第１発光ダイオードまたは前記複数の第２発光ダイオードによる被照射体の点灯を停止する点灯停止手段を有する、請求項１〜８のいずれか１項に記載の日焼け用ＵＶ光照射装置。
【請求項１０】
前記チャンバーの内面に沿った基板を有し、該基板に前記複数の発光ダイオードが実装された、請求項１〜９のいずれか１項に記載の日焼け用ＵＶ光照射装置。
【請求項１１】
前記基板が、第１基板と第２基板とを含み、該第１基板に前記複数の第１発光ダイオードが実装され、該第２基板に前記複数の第２発光ダイオードが実装された、請求項１０に記載の日焼け用ＵＶ光照射装置。
【請求項１２】
前記第１基板がそれぞれ長辺と短辺とを有する複数の第１長尺基板を含み、前記第２基板がそれぞれ長辺と短辺とを有する複数の第２長尺基板を含む、請求項１１に記載の日焼け用ＵＶ光照射装置。
【請求項１３】
前記第１長尺基板と前記第２長尺基板とが交互に配置されている、請求項１２に記載の日焼け用ＵＶ光照射装置。
【発明の詳細な説明】
【技術分野】
【０００１】
本発明は日焼け用ＵＶ光照射装置、とりわけ発光ダイオードを用いた日焼け用ＵＶ光照射装置に関する。
【背景技術】
【０００２】
日焼け用ＵＶ光照射装置は、肌を人工的に紫外線（ＵＶ）に当て、黒く日焼けを施す機械のことである。
【０００３】
従来、日焼け用ＵＶ光照射装置としては、蛍光管を用いたＵＶ光照射装置が広く用いられてきた。近年では、日焼け用ＵＶ光照射装置の１つとして、特表２００７−５０４９２５号公報（特許文献１）に記載されているような、発光ダイオードを用いた日焼け用ＵＶ光照射装置が提案されている。
ＵＶ光源として発光ダイオードを用いることで、ＵＶ光源として蛍光管を用いる場合に比べて、特定のピーク波長を有するＵＶ光を選択的に照射することができる。
【先行技術文献】
【特許文献】
【０００４】
【特許文献１】特表２００７−５０４９２５号公報
【発明の概要】
【発明が解決しようとする課題】
【０００５】
一般的に、ＵＶが被照射体に照射されると被照射体の皮膚はダメージを受けることが知られており、日焼け用のＵＶ光照射装置を使用する際には、ＵＶによる照射量をできる限り抑えることが望ましい。しかし、従来の蛍光管を用いた日焼け用ＵＶ光照射装置や、特許文献１に記載されている発光ダイオードを用いたＵＶ光照射装置では、ＵＶの照射による被照射体の皮膚へのダメージを少なくしながら、十分な日焼け効果を得ることが困難であった。
【０００６】
そこで、本発明は、被照射体の皮膚に与えるダメージがより少なく、より効率的に日焼け効果を得ることができる日焼け用ＵＶ光照射装置を提供することを目的とする。
【課題を解決するための手段】
【０００７】
上記課題を解決するため、本発明の実施形態に係る日焼け用ＵＶ光照射装置は、
被照射体を収容するための空間を有するチャンバーと、
前記チャンバーの内面に設けられている複数の発光ダイオードと、
前記複数の発光ダイオードの点灯を制御するための制御装置と、を含み、
前記複数の発光ダイオードが、
２８０ｎｍ〜３１０ｎｍの間にピークを有する複数の第１発光ダイオードと、
３１０ｎｍ〜４０５ｎｍの間にピークを有する複数の第２発光ダイオードと、を含み、
前記制御装置が、前記第２発光ダイオードを点灯させる前に前記第１発光ダイオードを点灯させる点灯制御部を有することを特徴としている。
【発明の効果】
【０００８】
本発明の実施形態に係る日焼け用ＵＶ光照射装置によれば、第２発光ダイオードを点灯させる前に第１発光ダイオードを点灯させることにより、被照射体の皮膚へのダメージを少なくしながら、より効率よく日焼け効果を得ることができる。
【図面の簡単な説明】
【０００９】
【図１】図１は、本発明の第１の実施形態に係る日焼け用ＵＶ光照射装置の全体構成を示す概略図である。
【図２】図２は、本発明の第１の実施形態に係る日焼け用ＵＶ光照射装置のＵＶ光照射部の斜視図である。
【図３】図３は、図２のＡの拡大図であり、本発明の第１の実施形態に係る日焼け用ＵＶ光照射装置のＵＶ光照射部に設けられる第１長尺基板および第２長尺基板を示す概略平面図である。
【図４】図４は、図３のＸ−Ｘ線の断面図である。
【図５Ａ】図５Ａは、第１発光ダイオードおよび第２発光ダイオードの点灯装置の動作の一例を示す、タイミングチャートである。
【図５Ｂ】図５Ｂは、第１発光ダイオードおよび第２発光ダイオードの点灯装置の動作の一例を示す、タイミングチャートである。
【図６】図６は、第２の実施形態における図３のＸ−Ｘ線の断面図である。
【発明を実施するための形態】
【００１０】
以下、本発明を図示の実施の形態により詳細に説明する。但し、以下に説明する日焼け用ＵＶ光照射装置は、本発明の技術思想を具体化するためのものであって、特定的な記載がない限り、本発明を以下のものに限定しない。また、一の実施形態において説明する内容は、他の実施形態にも適用可能である。また、各図面が示す部材の大きさや位置関係等は、説明を明確にするため、誇張していることがある。
【００１１】
（第１の実施形態）
図１は、第１の実施形態に係る日焼け用ＵＶ光照射装置の全体構成を示す概略図である。第１の実施形態に係る日焼け用ＵＶ光照射装置１００は、ＵＶ光照射部１０１と制御装置１４０とを含む。図２は、第１の実施形態に係る日焼け用ＵＶ光照射装置１００のＵＶ光照射部１０１の斜視図である。図３は、図２のＡの部分の拡大図であり、第１の実施形態に係るＵＶ光照射部１０１に設けられる第１長尺基板１２２および第２長尺基板１２４を示す概略平面図である。日焼け用ＵＶ光照射装置１００は、ＵＶ光源として発光ダイオードを用いた日焼け用ＵＶ光照射装置である。ＵＶ光照射部１０１は、チャンバー１０２と、チャンバー１０２の内面に設けられた複数の発光ダイオード１１０とを含む。
【００１２】
ここで、特に、第１の実施形態の日焼け用ＵＶ光照射装置１００は、複数の発光ダイオード１１０が、２８０ｎｍ〜３１０ｎｍの間にピークを有する複数の第１発光ダイオード１１２と、３１０ｎｍ〜４０５ｎｍの間にピークを有する複数の第２発光ダイオード１１４とを含み、制御装置１４０が、第２発光ダイオード１１４を点灯させる前に第１発光ダイオード１１２を点灯させる点灯制御部１４１を有することを特徴としている。
すなわち、本発明者らは、人間が太陽光を浴びて日焼けする際、まず、皮膚が赤くなった後、少し時間が経過してから黒くなることに着目し、皮膚に赤色の色素であるメラニン色素を生成した後に、そのメラニン色素を黒化させることにより、少ない紫外線照射量により日焼けをさせることが可能になるのではないかと考えて、本発明をなすに至った。
具体的には、第１の実施形態の日焼け用ＵＶ光照射装置１００は、メラニン色素がまだ生成していないとき、又はメラニン色素の生成が少ないときには、メラニン色素の生成する第１発光ダイオード１１２を照射する一方でメラニン色素を黒化させる３１０ｎｍ〜４０５ｎｍの間にピークを有する第２発光ダイオード１１４による照射量を抑え、メラニン色素が一定量以上生成した後には、メラニン色素を黒化させる３１０ｎｍ〜４０５ｎｍの間にピークを有する第２発光ダイオード１１４による照射する一方でメラニン色素を生成する第１発光ダイオード１１２による照射を抑えるよう構成されている。
以下、第１の実施形態の日焼け用ＵＶ光照射装置１００について詳細に説明する。
【００１３】
チャンバー１０２は、図２に示すように、外面と内面とを有する第１カバー１０４、第２カバー１０６および連結部材１０８から構成されている。第１カバー１０４と第２カバー１０６とは、連結部材１０８によって開閉できるように連結されている。第１カバー１０４と第２カバー１０６は、それらの内面が向かい合うように重ね合わせると、それらの２つの内面が略円柱状の空洞部を形成し、その空洞部が被照射体（例えば、人）を収容することができるように構成される。図４は、図３のＸ−Ｘ線の断面図であり、ＵＶ光照射部１０１の第１カバー１０４の断面図である。図４に示すように、第１カバー１０４の内面には、複数の第１長尺基板１２２上に実装された複数の第１発光ダイオード１１２と、複数の第２長尺基板１２４上に実装された複数の第２発光ダイオード１１４が設けられている。同様に、第２カバー１０６の内面には、複数の第１長尺基板１２２上に実装された複数の第１発光ダイオード１１２と、複数の第２長尺基板１２４上に実装された複数の第２発光ダイオード１１４が設けられている。複数の第１発光ダイオード１１２および複数の第２発光ダイオード１１４は、第１カバー１０４と第２カバー１０６が略円柱状の空間を形成し、その空間に収容された被照射体に光を照射するように設けられる。なお、チャンバーの空間は、このほか、３つ以上のカバーを用意することで、略多角柱状に形成することもできる。
【００１４】
複数の発光ダイオード１１０は、２８０ｎｍ〜３１０ｎｍの間にピークを有する複数の第１発光ダイオード１１２と、３１０ｎｍ〜４０５ｎｍの間にピークを有する複数の第２発光ダイオード１１４とを含む。本明細書においては、２８０ｎｍ〜３１０ｎｍの範囲のＵＶを紫外線Ｂ波（ＵＶＢ）、３１０ｎｍ〜４０５ｎｍの範囲のＵＶを紫外線Ａ波（ＵＶＡ）と分類する。２８０ｎｍ〜３１０ｎｍの間にピークを有する複数の第１発光ダイオード１１２は、ＵＶＢ光を被照射体に照射することによって、被照射体の皮膚にメラニン色素を生成することができる。３１０ｎｍ〜４０５ｎｍの間にピークを有する複数の第２発光ダイオード１１４は、ＵＶＡ光を被照射体に照射することによって、被照射体の皮膚に生成されているメラニン色素を黒化することができる。
【００１５】
図１に示すように、第１の実施形態の制御装置１４０は、第２発光ダイオード１１４を点灯させる前に第１発光ダイオード１１２を点灯させる点灯制御部１４１を含む。
ＵＶ光が照射されることによって皮膚が黒化するメカニズムは、ＵＶＢ光による照射で皮膚にメラニン色素を生成し、ＵＶＡ光による照射でそのメラニン色素を黒化させることにある。ＵＶ光が照射されることによって皮膚が日焼けをする程度は、ＵＶＢ光による照射で生成されるメラニン色素の量に依存しており、従って、ＵＶＢ光の照射量を制御することで、日焼け効果を制御することができる。第１の実施形態では、第２発光ダイオード１１４によるＵＶＡ光の照射を開始する前に第１発光ダイオード１１２によるＵＶＢ光の照射を開始する。このような形態にすることで、被照射体が望む日焼け効果を得るためには、所望する日焼け効果に必要な最低限のＵＶＢ光を照射してメラニン色素を生成し、その生成したメラニン色素に応じた必要最低限のＵＶＡ光を照射すればよいので、被照射体の皮膚へのダメージを少なくしながら、十分な日焼け効果を得ることができる。
【００１６】
第１の実施形態では、点灯制御部１４１により、第１発光ダイオード１１２の点灯を停止する前に第２発光ダイオード１１４を点灯させてもよく、または第１発光ダイオード１１２の点灯を停止した後に第２発光ダイオード１１４を点灯させてもよい。図５Ａおよび図５Ｂは、第１発光ダイオードおよび第２発光ダイオードの点灯装置の動作の一例を示す、タイミングチャートである。例えば、点灯制御部１４１は、図５Ａおよび図５Ｂのタイミングチャートに示すように第１発光ダイオード１１２および第２発光ダイオード１１４の点灯を制御する。図５Ａおよび図５Ｂは、横軸を時間（ｔ）とし、第１発光ダイオード１１２の点灯開始時間をｔ１、第１発光ダイオード１１２の点灯を停止する時間をｔ３、第２発光ダイオード１１４の点灯開始時間をｔ２、第２発光ダイオード１１４の点灯を停止する時間をｔ４としている。図５Ａに示すように、第１発光ダイオード１１２が点灯を開始（ｔ１）した後点灯を停止（ｔ３）する前に、第２発光ダイオード１１４の点灯を開始（ｔ２）してもよい。また図５Ｂに示すように、第１発光ダイオード１１２が点灯を開始（ｔ１）して点灯を停止（ｔ３）した後に時間をおいてから、第２発光ダイオード１１４の点灯を開始（ｔ２）してもよい。
【００１７】
第１の実施形態では、点灯制御部１４１をさらに、複数の第１発光ダイオード１１２の点灯時間と複数の第２発光ダイオード１１４の点灯時間とを個別に調整するように構成することもできる。このように構成すると、複数の第１発光ダイオード１１２の点灯時間を調整することで被照射体の皮膚に生成されるメラニンの量を制御することができ、複数の第２発光ダイオード１１４の点灯時間を調整することで被照射体の皮膚の黒化量を制御することができる。ＵＶＡ光およびＵＶＢ光の照射量と被照射体の皮膚の黒化量との関係を示す情報に基づいて、第１発光ダイオード１１２を所望の黒化量に応じた必要な時間だけ点灯した後、第２発光ダイオード１１４を所望の黒化量に応じた必要な時間だけ点灯するようにしてもよい。これにより、必要以上の余分なＵＶＡ光およびＵＶＢ光を照射することなく（すなわち、ＵＶ光の照射による皮膚のダメージを少なくしながら）所望の日焼け効果を得ることができる。よって、日焼け用ＵＶ光照射装置の省エネルギー化を図ることもできる。
【００１８】
第１の実施形態では、第１発光ダイオード１１２と第２発光ダイオード１１４を交互に点灯させてもよい。具体的には、例えば、第１発光ダイオード１１２を点灯させてＵＶＢ光を照射した後に第１発光ダイオード１１２の点灯を停止し、第２発光ダイオード１１４を点灯させてＵＶＡ光を照射し、その後再び第１発光ダイオード１１２を点灯させてＵＶＢ光を照射してもよく、このサイクルを繰り返し行ってよい。そして、所望の日焼けが達成されたときに点灯を中止するようにしてもよい。このようにすることで、ＵＶＢ光の照射によってメラニン色素を少量ずつ生成し、それに応じてＵＶＡ光の照射によって皮膚を少しずつ黒化定着することができる。このサイクルを繰り返すことで、必要以上の余分なＵＶＡ光およびＵＶＢ光を照射することなく（すなわち、ＵＶ光の照射による皮膚のダメージを少なくしながら）、被照射体が所望する日焼け程度に少しずつ近づけてゆくことができ、さらには被照射体の皮膚の黒化量が所望の程度を越えることを防ぐことができる。また、ＵＶＡ光およびＵＶＢ光の照射量と被照射体の皮膚の黒化量との関係を示す情報がない場合であっても、所望の日焼け状態が実現できる。
【００１９】
図１に示すように、第１の実施形態の制御装置１４０は、複数の第１発光ダイオード１１２の発光強度と複数の第２発光ダイオード１１４の発光強度とを個別に制御する発光強度制御部１４２を含む。複数の第１発光ダイオード１１２の発光強度を調整することで被照射体の皮膚に生成されるメラニンの量を制御することができ、複数の第２発光ダイオード１１４の発光強度を生成されたメラニンの量に応じて調整することで、被照射体の皮膚へのＵＶＡ光による過剰な照射を防ぐことができる。従って、ＵＶ光の照射による皮膚のダメージを少なくしながら、日焼け効果を得ることができる。
【００２０】
図２に示すように、第１の実施形態のＵＶ光照射部１０１は、チャンバーの内面に設けられた基板１２０を含む。複数の発光ダイオード１１０は、基板１２０上に設けられる。図３に示すように、基板１２０は、複数の第１発光ダイオード１１２がそれぞれ実装される複数の第１長尺基板１２２と、複数の第２発光ダイオード１１４がそれぞれ実装される複数の第２長尺基板１２４とを含む。
第１長尺基板１２２は、チャンバー１０２の長軸方向の一列に１枚で設けられてもよく、２枚以上に分割して設けられてもよい。同様に、第２長尺基板１２４は、チャンバー１０２の長尺方向の一列に１枚で設けられてもよく、２枚以上に分割して設けられてもよい。
図３に示すように、複数の第１発光ダイオード１１２は、第１長尺基板１２２の長辺方向に、所定の一定間隔をおいて実装されている。同様に、複数の第２発光ダイオード１１４は、第２長尺基板１２４の長辺方向に、所定の一定間隔をおいて実装されている。
【００２１】
第１の実施形態では、図３に示すように、第１長尺基板１２２と第２長尺基板１２４はチャンバー１０２の短軸方向に交互に配置されてよい。
【００２２】
第１長尺基板１２２の短辺方向において、複数の第１長尺基板１２２は、その上に設けられた複数の第１発光ダイオード１１２が被照射体に対して均一にＵＶＢ光を照射することができるように配置される。例えば、第２長尺基板１２４を挟んで設置される２枚の第１長尺基板１２２は、第１長尺基板１２２の長辺方向に実装されている複数の第１発光ダイオード１１２の配置間隔と同じ間隔を置いて、設置される。このようにすれば、複数の第１長尺基板によって、被照射体に対して、均一にＵＶＢ光を照射することができる。
【００２３】
同様に、第２長尺基板１２４の短辺方向において、複数の第２長尺基板１２４は、その上に設けられた複数の第２発光ダイオード１１４が被照射体に対して均一にＵＶＡ光を照射することができるように短辺方向に配置される。例えば、第１長尺基板１２２を挟んで設置される２枚の第２長尺基板１２４は、第２長尺基板１２４の長辺方向に実装されている複数の第２発光ダイオード１１４の配置間隔と同じ間隔を置いて、設置される。このようにすれば、複数の第２長尺基板１２４によって、被照射体に対して、均一にＵＶＡ光を照射することができる。
【００２４】
複数の第１長尺基板１２２は、被照射体と複数の第１発光ダイオード１１２との間に一定以上の距離を保って配置される。同様に、複数の第２長尺基板１２４は、被照射体と複数の第２発光ダイオード１１４との間に一定以上の距離を保って配置される。発光ダイオードの指向性を考慮すると、複数の第１長尺基板１２２と複数の第２長尺基板１２４をこのような形態にすることで、複数の発光ダイオードから発せられるＵＶ光は、被照射体に対して均一に照射されるようになる。このように構成すると、被照射体に対してむらのないきれいな日焼け効果を与えることができ、被照射体の特定の部位にのみ過剰なＵＶ光が照射されて皮膚にダメージを与えることを防止することができる。
【００２５】
発光ダイオードから発せられるＵＶ光の強度が発光ダイオードからの距離が遠くなるほど弱まることを考慮して、被照射体と複数の第１発光ダイオード１１２とが一定以内の距離を保つように、複数の第１長尺基板１２２は配置される。同様に、被照射体と複数の第２発光ダイオード１１４とが一定以内の距離を保つように、複数の第２長尺基板１２４は配置される。複数の第１長尺基板１２２および複数の第２長尺基板１２４のそれぞれは、被照射体の各部位に対してほぼ等しい距離になるように配置されることが好ましい。それを実現するために、例えば、複数の第１長尺基板１２２および複数の第２長尺基板１２４としてフレキシブル基板を用いて、被照射体の各部位の形状に合わせて、位置を調整して配置することができる。発光ダイオードと被照射体との間の距離を検知する距離センサーを設置し、検知された距離に基づいて、複数の第１長尺基板１２２および複数の第２長尺基板１２４の配置位置を制御するようにしてもよい。このように構成すると、被照射体の各部位に均一な強度のＵＶ光を照射することができ、被照射体の特定の部位にのみ過剰なＵＶ光が照射されて皮膚にダメージを与えることを防止することができる。さらに、むらのないきれいな日焼け効果を与えることができる。
【００２６】
第１の実施形態の制御装置１４０は、複数の第１発光ダイオード１１２または複数の第２発光ダイオード１１４による被照射体の照射量が予めに設定した値を超えると、複数の第１発光ダイオード１１２または複数の第２発光ダイオード１１４による被照射体の点灯を停止する点灯停止手段１４４を含む。
例えば、ＵＶＢ光またはＵＶＡ光の照射量と、被照射体の皮膚の受けるダメージとの関係を示す情報に基づいて、複数の第１発光ダイオード１１２または複数の第２発光ダイオード１１４から被照射体に照射されるＵＶＢ光および／またはＵＶＡの総量の上限値を予めに設定し、上限値に達したときに点灯を中止するようにできる。
第１の実施形態では、被照射体に照射されるＵＶＢ光およびＵＶＡ光の総量を測定するためのセンサー１１６が、チャンバー１０２内に設置される。センサー１１６は、被照射体に照射されるＵＶＢ光およびＵＶＡ光の照射量に関する情報を、制御装置１４０に伝達する。センサー１１６から伝達される情報に基づき、複数の第１発光ダイオード１１２または複数の第２発光ダイオード１１４による被照射体の照射量が予めに設定した値を超えると、複数の第１発光ダイオード１１２または複数の第２発光ダイオード１１４による被照射体の点灯が停止される。
このような構成によって、より多くの日焼け効果を得たいという被照射体の願望に基づくＵＶ光の過度な照射または人的な誤操作に基づくＵＶ光の過度な照射による、被照射体の皮膚のダメージを防ぐことができる。
【００２７】
（第２の実施形態）
一般的に、被照射体の個人、人種、性別、年齢または肌の色等により、ＵＶＢ光およびＵＶＡ光の照射による日焼けの効果は異なる。そのため、複数の第１発光ダイオード１１２は、異なるピーク波長を有する異なる種類の第１発光ダイオード１１２を含んでもよい。例えば、被照射体の個人の情報に基づいて適切な種類の第１発光ダイオード１１２を選択して、被照射体に対して適切なピーク波長を有するＵＶＢ光を照射する。複数の第２発光ダイオード１１４も同様である。
以下に、第２の実施形態に係る日焼け用ＵＶ光照射装置１００について、第１の実施形態と異なる部分を中心に説明する。第２の実施形態に係る日焼け用ＵＶ光照射装置１００のうち、特段の説明の無いものについては、第１の実施形態と同じ構成を有してもよい。
【００２８】
第２の実施形態においては、複数の第１発光ダイオード１１２および複数の第２発光ダイオード１１４のそれぞれが、異なるピーク波長を有する異なる種類の発光ダイオードを有している。
制御装置１４０は、異なる種類の第１発光ダイオード１１２から１種類以上の第１発光ダイオード１１２を選択する選択手段１４３を有しており、この選択手段１４３によって選択された第１発光ダイオード１１２を点灯制御部１４１によって点灯することができる。同様に、制御装置１４０は、異なる種類の第２発光ダイオード１１４から１種類以上の第２発光ダイオード１１４を選択する選択手段１４３を有しており、この選択手段１４３によって選択された第２発光ダイオード１１４を点灯制御部１４１によって点灯することができる。このような形態にすることによって、被照射体に対して適切なピーク波長を有するＵＶ光を選択して照射することができ、ＵＶＡ光およびＵＶＢ光が有するピーク波長と被照射体の皮膚の黒化量との関係を示す情報に基づいて、被照射体の各個人に対して最も効率がよい日焼け効果を与えることができる。従って、ＵＶ光の照射による被照射体の皮膚へのダメージが少なくしながら十分な日焼け効果を得ることができる。
【００２９】
異なる種類の複数の第１発光ダイオード１１２は、３つの種類の波長範囲にピークを有する複数の第１発光ダイオード１１２を有してもよく、例えば、２８０ｎｍ〜２９０ｎｍの間にピーク波長を有する複数の第１Ａ発光ダイオードと、２９０ｎｍ〜３００ｎｍの間にピーク波長を有する複数の第１Ｂ発光ダイオードと、３００ｎｍ〜３１０ｎｍの間にピーク波長を有する複数の第１Ｃ発光ダイオードと、を含む。異なる種類の複数の第１発光ダイオード１１２は、複数の種類の第１発光ダイオード１１２を有してもよく、例えば、２８０ｎｍ〜３１０ｎｍの波長範囲内の任意の５ｎｍ毎の範囲で設定した異なる種類の複数の第１発光ダイオード１１２から、適切なピーク波長を有する複数の第１発光ダイオード１１２を選択することができる。
このように、複数の異なる種類の第１発光ダイオード１１２を有することによって、ＵＶＢ光が有するピーク波長と被照射体の皮膚の黒化量との関係を示す情報に基づいて、被照射体に対してより効果的な日焼け効果を与えることができる。
【００３０】
異なる種類の複数の第２発光ダイオード１１４は、複数の種類の第２発光ダイオード１１４を有してもよく、例えば、３１０ｎｍ〜４０５ｎｍの波長範囲内の任意の５ｎｍ〜２０ｎｍ毎の範囲で設定した異なる種類の複数の第２発光ダイオード１１４から、適切なピーク波長を有する複数の第２発光ダイオード１１４を選択することができる。
このように、複数の異なる種類の第２発光ダイオード１１４を有することによって、被照射体に照射されるＵＶＡ光の波長を微調整することができ、ＵＶＡ光が有するピーク波長と被照射体の皮膚の黒化量との関係を示す情報に基づいて、被照射体に対してより効果的な日焼け効果を与えることができる。
【００３１】
本明細書においては、２８０ｎｍ未満の短波長範囲のＵＶを紫外線Ｃ波（ＵＶＣ）と分類するが、一般的にＵＶＣ光は、２８０ｎｍ以上の波長範囲のＵＶ光に比べて、被照射体の皮膚や眼球に対してより強いダメージを与えることが知られている。図６は、第２の実施形態における図３のＸ−Ｘ線の断面図である。第２の実施形態では、日焼け用ＵＶ光照射装置１００のＵＶ光照射部１０１は、２８０ｎｍ未満の波長のＵＶ光を除外するためのフィルタ１３０を有する。図６に示すように、フィルタ１３０は複数の第１発光ダイオード１１２および複数の第２発光ダイオード１１４と被照射体との間に配置される。これにより、被照射体は皮膚へのダメージを少なくしながら、より効果的に日焼けをすることができる。
【符号の説明】
【００３２】
１００：ＵＶ光照射装置
１０１：ＵＶ光照射部
１０２：チャンバー
１０４：第１カバー
１０６：第２カバー
１０８：連結部材
１１０：複数の発光ダイオード
１１２：第１発光ダイオード
１１４：第２発光ダイオード
１１６：センサー
１２０：複数の基板
１２２：第１長尺基板
１２４：第２長尺基板
１３０：フィルタ
１４０：制御装置
１４１：点灯制御部
１４２：発光強度制御部
１４３：選択手段
１４４：点灯停止手段
【図１】
0006467835.tif 000002
【図２】
0006467835.tif 000003
【図３】
0006467835.tif 000004
【図４】
0006467835.tif 000005
【図５Ａ】
0006467835.tif 000006
【図５Ｂ】
0006467835.tif 000007
【図６】
0006467835.tif 000008